(57)【要約】【課題】  補助スクリーン前面に流着した塵芥のレーキによる掻き上げ処理能力を更に高め、しかも補助スクリーン前面側の水路底面上に堆積した塵芥を有効に掻き上げる。【解決手段】  レーキ循環式除塵機１において、レーキ５の下部反転部６の外側で且つ主スクリーン３の下端側３ａの下流側に補助スクリーン４を設け、該補助スクリーン４の前面４ａをレーキ５の下部反転部６の最下位置近傍に略垂直に臨ませ、レーキ５の先端を側面視Ｌ字形の櫛歯状にした。【選択図】        図１
2005139631.tif 000002
【特許請求の範囲】
【請求項１】
水路に設置された縦格子状の主スクリーンの前面を上動し主スクリーンの後方を下動して上下回りに循環移動し且つ主スクリーン下方の下部反転部で下動から上動に反転するレーキを備え、主スクリーン前面に流着した塵芥を主スクリーン前面に沿って上動するレーキで掻き上げて水路上方に排出する構成からなるレーキ循環式除塵機において、前記主スクリーンの下端側を前記レーキの下部反転部の内側に設けると共に下流側に向けて弧状に形成し、前記レーキの下部反転部の外側で且つ主スクリーンの下端側の下流側に補助スクリーンを設け、該補助スクリーンの前面を前記レーキの下部反転部の最下位置近傍に略垂直に臨ませ、補助スクリーンの略垂直な前面の上端をレーキの前部櫛歯先端の移動軌跡の内側の高い位置まで延設し、補助スクリーンの略垂直な前面通過時におけるレーキの前部櫛歯先端の、当該補助スクリーン前面上端からの突出長さを大きくすると共に、レーキの前部櫛歯先端を側面視Ｌ字形の櫛歯状に形成し下部反転部で前部櫛歯の基端側となるレーキ平坦部が補助スクリーンの前面に出るより前に前部櫛歯の先端となるレーキ先端Ｌ形曲げ部が略水平方向に出て来るようにしたことを特徴とする補助スクリーン付きレーキ循環式除塵機。
【請求項２】
補助スクリーンの前面をレーキの下部反転部の最下位置に垂直に臨ませた請求項１記載の補助スクリーン付きレーキ循環式除塵機。
【請求項３】
補助スクリーンの上部側を下部反転部でのレーキの移動軌跡の形状に相対応する形状に形成した請求項１記載の補助スクリーン付きレーキ循環式除塵機。
【請求項４】
主スクリーンの下端側の弧状は、下半分半円形板から形成されている請求項１記載の補助スクリーン付きレーキ循環式除塵機。
【請求項５】
主スクリーンの下端側の弧状は、主スクリーンの下端側を下向きに凸状に曲げた板片から形成されている請求項１記載の補助スクリーン付きレーキ循環式除塵機。
【請求項６】
主スクリーンの下端側の弧状は、主スクリーンの下端側を下向に半円弧状に曲げた板片から形成されている請求項５記載の補助スクリーン付きレーキ循環式除塵機。
【請求項７】
主スクリーンの下端側の弧状は、円形板の下半分側から形成されている請求項１記載の補助スクリーン付きレーキ循環式除塵機。
【請求項８】
主スクリーンの下端側の弧状は、下半分半正多角形板片から形成されている請求項１記載の補助スクリーン付きレーキ循環式除塵機。
【発明の詳細な説明】
【技術分野】
【０００１】
この発明は、水路に設置された縦格子状の主スクリーン前面に流着した塵芥を主スクリーン前面に沿って上方に循環移動するレーキで掻き上げて水路上方に排出するレーキ循環式除塵機に係り、特に、レーキ循環式除塵機の下端側に設置された補助スクリーン前面に流着した塵芥のレーキによる掻き上げ処理能力を更に高め、補助スクリーン前面側の水路底面上に堆積した塵芥を有効に掻き上げるようにした補助スクリーン付きレーキ循環式除塵機に関するものである。
【背景技術】
【０００２】
従来、排水機場などの水利施設に流着する塵芥を除去する装置として、流下する塵芥を水路の水利施設に設置された縦格子状の主スクリーン前面に流着させて、流着させた塵芥を主スクリーン前面に沿って上方に循環移動するレーキにより機械的に掻き上げて、水路上方の所定位置に排出するレーキ循環式除塵機が知られている。
レーキ循環式除塵機では、循環移動するレーキは主スクリーン前面に沿って上方に移動し、主スクリーンの上方側で上向きから下向きに反転して主スクリーンの後方側を下方に移動し、主スクリーン下端側で下向きから上向きに反転して再び主スクリーン前面に沿って上方に循環移動する構造になっている。
レーキ循環式除塵機では、循環移動するレーキは主スクリーン下端側で反転するため、主スクリーンの下端と水路底面との間にはレーキが反転できる隙間が空けられており、主スクリーン下端側の隙間を通って塵芥が主スクリーンの下流側の水利施設に流着する欠点がある。
このため、主スクリーン下端側の上流側にはこれを防ぐために縦格子状の補助スクリーンが別途に近接して設置されている。そして、主スクリーンの下端側に近接して設置された補助スクリーン前面に流着した塵芥は、主スクリーンの下端側を反転して上方に移動するレーキによって掻き上げられて排出される構造になっている。
しかしながら、図５に示すように、主スクリーン１０１に沿って上下回りに循環移動するレーキ１０２は、補助スクリーン１０３の厚みのため、補助スクリーン１０３の前面からの突出長さＢ２は例えばレーキ１０２の突出方向の全長さの約４分の１程度しか突出することができず、補助スクリーン１０３の前面に流着した塵芥をレーキ１０２で掻き上げる場合、レーキ１０２の突出方向の全長さの約４分の１程度しか活用することができず、処理能力が劣るという課題があった。
また、レーキ１０２の先端の移動軌跡Ａは補助スクリーン１０３の前面側の水路底面から少し高いＨ２の高さを通過して水路底面近くを通過しないため、補助スクリーン１０３の前面側の水路底面上に堆積した塵芥を有効に掻き上げることができないという課題もあった。
そこで、本願の特許出願人は、前述した課題を解決するものとして、前記主スクリーンの下端側を前記レーキの下部反転部の内側に設けると共に下流側に向けて弧状に形成し、前記レーキの下部反転部の外側で且つ主スクリーンの下端側の下流側に補助スクリーンを設け、該補助スクリーンの前面を前記レーキの下部反転部の最下位置に垂直に臨ませると共に、補助スクリーンの垂直な前面の上端をレーキの前部櫛歯先端の移動軌跡の内側の高い位置まで延設し、補助スクリーンの垂直な前面通過時におけるレーキの前部櫛歯先端の、当該補助スクリーン前面上端からの突出長さを大きくした補助スクリーン付きレーキ循環式除塵機を創案して、平成８年に特許出願（特開平９−２６８５４０）し、平成１１年１１月に特許（特許第３００２７７３号）を取得している。
【特許文献１】特開平９−２６８５４０
【発明の開示】
【発明が解決しようとする課題】
【０００３】
しかしながら、前記特許（特許第３００２７７３号）にあっては、塵芥を掻き上げる櫛歯状のレーキは先端に向かって平坦状に形成されているので、補助スクリーン前面に貯留している塵芥を反転しつつ押し出し掻き上げる過程で塵芥の一部がレーキより落下し易いという問題がある。
また、押し出ししつつ掻き上げるために塵芥が団塊状になり易いという問題がある。
さらに、水面に浮遊しているペットボトル等はレーキの動きで生じる水面の変動で掻き上げにくい場合がある。
【０００４】
この発明は、前記特許（特許第３００２７７３号）の更なる改良を図るべく創案されたものであって、その目的とするところは、補助スクリーン前面に流着した塵芥のレーキによる掻き上げ処理能力を更に高め、しかも補助スクリーン前面側の水路底面上に堆積した塵芥を有効に掻き上げることができるようにした補助スクリーン付きレーキ循環式除塵機を提供することにある。
【課題を解決するための手段】
【０００５】
以上の目的を達成するために、この発明は、水路に設置された縦格子状の主スクリーンの前面を上動し主スクリーンの後方を下動して上下回りに循環移動し且つ主スクリーン下方の下部反転部で下動から上動に反転するレーキを備え、主スクリーン前面に流着した塵芥を主スクリーン前面に沿って上動するレーキで掻き上げて水路上方に排出する構成からなるレーキ循環式除塵機において、前記主スクリーンの下端側を前記レーキの下部反転部の内側に設けると共に下流側に向けて弧状に形成し、前記レーキの下部反転部の外側で且つ主スクリーンの下端側の下流側に補助スクリーンを設け、該補助スクリーンの前面を前記レーキの下部反転部の最下位置近傍に略垂直に臨ませ、補助スクリーンの略垂直な前面の上端をレーキの前部櫛歯先端の移動軌跡の内側の高い位置まで延設し、補助スクリーンの略垂直な前面通過時におけるレーキの前部櫛歯先端の、当該補助スクリーン前面上端からの突出長さを大きくすると共に、レーキの前部櫛歯先端を側面視Ｌ字形の櫛歯状に形成し下部反転部で前部櫛歯の基端側となるレーキ平坦部が補助スクリーンの前面に出るより前に前部櫛歯の先端となるレーキ先端Ｌ形曲げ部が略水平方向に出て来るようにした手段よりなるものである。
【０００６】
ここで、好ましい態様として、補助スクリーンの前面をレーキの下部反転部の最下位置に垂直に臨ませるのがよく、また、補助スクリーンの上部側を下部反転部でのレーキの移動軌跡の形状に相対応する形状に形成するのがよい。
【０００７】
また、主スクリーンの下端側の弧状は、主スクリーンの下端側の弧状は、下半分半円形板から形成されていてもよく、更に、主スクリーンの下端側を下向きに凸状に曲げた板片から形成されていてもよく、主スクリーンの下端側を下向に半円弧状に曲げた板片から形成されていてもよい。円形板の下半分側から形成されていてもよく、或いは下半分半正多角形板片から形成されていてもよい。
【発明の効果】
【０００８】
以上の記載より明らかなように、この発明に係る補助スクリーン付きレーキ循環式除塵機によれば、レーキの先端をＬ形の櫛歯状に形成し下部反転部でレーキ平坦部が補助スクリーンの前面に出るより前にレーキ先端Ｌ形曲げ部が略水平方向に出て来るようにすることで塵芥を捕捉し易くすることができる。しかも、レーキ先端がＬ字形になっているため下部で半回転しつつ上向き方向に移行する場合でもレーキより塵芥が落下することを防ぐことができる。さらに、Ｌ字形にした先端を櫛歯状にすることで団塊状になった草、落ち葉等に容易に刺さるようになり、貯留している塵芥に刺さってから持ち上げるようになり、これにより水路底部近傍から塵芥の落下を防ぎ、絡み合った塵芥でも容易に掻き上げ除去することができる。このように、補助スクリーン前面に流着した塵芥のレーキによる掻き上げ処理能力を更に高め、しかも補助スクリーン前面側の水路底面上に堆積した塵芥を有効に掻き上げることができる等、極めて新規的有益なる効果を奏するものである。
【発明を実施するための最良の形態】
【０００９】
以下、図面に記載の発明を実施するための最良の形態に基づいて、この発明をより具体的に説明する。
ここで、図１（Ａ）は要部側面図、図１（Ｂ）はレーキの部分平面図、図１（Ｃ）はレーキの側面図、図２〜図４は他例の要部側面図である。
【００１０】
図において、レーキ循環式除塵機１は、水路２に設置された主スクリーン３の前面に流着した塵芥を主スクリーン３の前面に沿って上方に循環移動するレーキ５で掻き上げて水路２の上方に排出する装置である。
【００１１】
レーキ循環式除塵機１はその左右両側面を一対のフレーム１ａで構成され、左右の各フレーム１ａは水路２の左右両側壁の内側にその上部側が下流側に向けて僅かに傾斜して設置されている。左右の各フレーム１ａの下端は水路底面２ａに固定され、フレーム１ａの図示しない上部側は水路２の上方に突出して下流側に湾曲している。
【００１２】
左右の各フレーム１ａには無端状の主務チェーン１ｂが循環移動自在に取付けられている。主務チェーン１ｂはレーキ５を循環移動させるもので、左右の主務チェーン１ｂ間にはレーキ５が横架されてその両端が連結されている。主務チェーン１ｂは例えばフランジ付きローラーから構成されている。
【００１３】
主務チェーン１ｂは左右の各フレーム１ａに形成されたガイド溝１ｃ内及び主務チェーン下部反転部１ｄを循環移動する。主務チェーン１ｂは、フレーム１ａの上部側に取付けられた図示しない駆動スプロケットに噛み合っていて、図示しない駆動スプロケットの駆動によって上下方向に循環移動する。
【００１４】
左右の各フレーム１ａの下端側には、無端状の主務チェーン１ｂを反転させる半円形状の主務チェーン下部反転部１ｄが設けられている。この主務チェーン下部反転部１ｄはレーキ５の下部反転部６となる箇所である。主務チェーン１ｂはこの主務チェーン下部反転部１ｄで下向きの移動から上向きの移動に反転させられる。主務チェーン下部反転部１ｄは僅かに斜めに傾いた下向きの半円形状に形成されている。
【００１５】
レーキ循環式除塵機１の左右一対のフレーム１ａ，１ａの間には、流着する塵芥を受け止める縦格子状の主スクリーン３が配設されている。主スクリーン３は塵芥が流入して排水機場等に損傷を与えるのを防ぐために水路２に設置されるものであり、損失水頭の小さい形状からなる。
【００１６】
主スクリーン３は前記水路２の左右両側のフレーム１ａ，１ａ間の上下間に数本横架したスクリーン受杆１ｅにその後面が固設されて保持されている。また、図示しない主スクリーン３の上端は下流側に向けて僅かに傾斜した状態で水路２の上方まで直線状に延びている。
【００１７】
主スクリーン３の下端側３ａは、下流側に向かって下向きの弧状に形成され、その終端は斜め上向きの状態になっている。主スクリーン３の下端側３ａの下流側に向かって下向きの弧状は、図１（Ａ）に示すように下半分半円形板３ｂから形成されているが、これ以外に、例えば図２に示すように下端側３ａを下向きに凸状に曲げた板片、例えば下向に半円弧状に曲げた板片３ｃから形成されていてもよく、又は図３に示すように円形板３ｄの下半分側から形成されていてもよく、或いは図４に示すように下半分半正多角形板片３ｅから形成されていてもよい。
【００１８】
主スクリーン３の半円弧状の下端側３ａは上記レーキ５の下部反転部６となる主務チェーン下部反転部１ｄの上方に位置し、また半円形状の主務チェーン下部反転部１ｄと同心円になっている。つまり主スクリーン３の下端側３ａはレーキ５の下部反転部６の内側に設けられている。そして、主スクリーン３の半円弧状の下端側３ａは主スクリーン３に流着した塵芥を掻き上げるレーキ５の通過のために水路底面２ａと所定の間隔を有している。
【００１９】
主スクリーン３の下端側３ａ及び上記のレーキ５の下部反転部６となる主務チェーン下部反転部１ｄの下方で、且つこれらの下流側の水路底面２ａには補助スクリーン４が近接して設置されている。つまり補助スクリーン４はレーキ５の下部反転部６の外側に設けられている。補助スクリーン４は、主スクリーン３の下端側３ａと水路底面２ａとの隙間から塵芥が流下するのを防ぐために水路底面２ａに設置されるものであり、櫛歯状の損失水頭の小さい形状からなる。
【００２０】
櫛歯状の補助スクリーン４の前面４ａは水路底面２ａに対して垂直又は垂直に近い場合を含む略垂直に形成されている。またその垂直又は略垂直な補助スクリーン４の前面は、レーキ５の下部反転部６の最下位置近傍、つまり水路底面２ａまでの間隔が最も小さい位置又はこれより僅かにずれた位置に設けられている。即ち、補助スクリーン４の前面４ａは、レーキ５を移動させて反転させる主務チェーン１ｂが反転させられる半円形状の主務チェーン下部反転部１ｄの最下端の位置又はその近傍位置であり、また、主スクリーン３の半円弧状の下端側３ａの最下端の位置又はその近傍位置、つまり半円形状の主務チェーン下部反転部１ｄ及び下端側３ａの水路底面２ａまでの間隔が最も小さい位置又はその近傍に設けられている。補助スクリーン４の前面４ａは図面では最下端位置から僅かに水路２の上流側にずれた位置に設けられている。
【００２１】
櫛歯状の補助スクリーン４の上部側４ｂは、垂直又は略垂直な前面４ａの上端から下流側に向けて凹状円弧に形成されて上方に延設され、その上端は主スクリーン３の半円形状の下端側３ａの終端の高さと略同じ高さにあり、その高さで下流側に向かって水平に少し延び、そこから水路底面２ａに向かって垂直な後面４ｃに形成されている。
【００２２】
補助スクリーン４の上部側４ｂの凹状円弧の部分は、主スクリーン３の半円弧状の下端側３ａ及び上記の半円形状の主務チェーン下部反転部１ｄと同心円になっていて、下端側３ａ及び主務チェーン下部反転部１ｄの下方に位置し、又上部側４ｂの凹状円弧の部分の半径は半円弧状の下端側３ａ及び主務チェーン下部反転部１ｄの半径より大きい。
【００２３】
補助スクリーン４の上部側４ｂの凹状円弧の部分は、レーキ５が半円形状の主務チェーン下部反転部１ｄに沿って主スクリーン３の後方側から主スクリーン３の前面側に反転する場合に、レーキ５の基部が補助スクリーン４の上部側４ｂの凹状円弧の部分に沿って接触せずに反転できる程度に、レーキ５の基部５ａの移動軌跡に接近して設けられている。
【００２４】
レーキ５は、主スクリーン３の前面、補助スクリーン４の前面４ａ及び凹状円弧の上部側４ｂにそれぞれ流着した塵芥、並びに補助スクリーン４の前面４ａ側の水路底面２ａに堆積した塵芥を、掻き上げて主スクリーン３の前面に沿って上方に循環移動し、水路２の上方に排出するものである。レーキ５は、左右のフレーム１ａ側に循環移動自在に設けられた左右の主務チェーン１ｂに両端が連結されていて、左右の主務チェーン１ｂの循環移動によって一体的に循環移動する機構になっている。
【００２５】
レーキ５は、主スクリーン３の左右横方向に延設された基部５ａ、該基部５ａの前部に前方に大きく張り出して設けられた前部櫛歯５ｂとから構成されている。レーキ５の前部櫛歯５ｂの先端は、側面視においてＬ字形に折曲されている。先端がＬ字形のレーキ５の前部櫛歯５ｂは、基端側となる非折曲部分のレーキ平坦部５ｃと、先端となる折曲部分のレーキ先端Ｌ形曲げ部５ｄとからなる。
【００２６】
前部櫛歯５ｂの先端の折曲方向は、主スクリーン３の前面に沿って上方向に移動する場合に上向きになる方向である。Ｌ字形の折曲角度としては例えば略直角に近い鈍角である。Ｌ字形に折曲された先端は先端に向かって尖っていて塵芥を刺し易い形状に形成されている。このため、前部櫛歯５ｂの基端側となるレーキ平坦部５ｃが補助スクリーン４の垂直又は略垂直な前面４ａに出るより前に前部櫛歯５ｂの先端となるレーキ先端Ｌ形曲げ部５ｄが垂直又は略垂直な前面４ａに対して略水平方向に出て来るようになる。
【００２７】
先端がＬ字形のレーキ５の前部櫛歯５ｂは、櫛歯状の補助スクリーン４の歯同士の隙間を通過できる間隔に形成されている。レーキ５の基部５ａの後部は縦格子状の主スクリーン３の各縦スクリーンの間に入る間隔の櫛歯状に形成されている。
【００２８】
レーキ５の前部櫛歯５ｂの前方に大きく張り出したレーキ平坦部５ｃの長さは、主スクリーン３の半円弧状の下端側３ａとなる主務チェーン下部反転部１ｄでのレーキ５の前部櫛歯５ｂのレーキ平坦部５ｃの先端の移動軌跡Ａが、水路底面２ａと僅かな隙間を有する程度の長さに形成されていて、補助スクリーン４の前面４ａ側の水路底面２ａに堆積した塵芥を十分に掻き上げることができるようになっている。
【００２９】
次に、上記発明を実施するための最良の形態の構成に基づく作用について以下説明する。
水路を流下する塵芥の大半は、レーキ循環式除塵機１の前面に設けられた主スクリーン３に流着する。また、残りの塵芥は、主スクリーン３の下端側３ａの下方に流れて、主スクリーン３の下端側３ａの下方に設置された補助スクリーン４の前面４ａに流着したり、補助スクリーン４の前面４ａの前方の水路底面２ａに堆積し、更にその一部の塵芥は補助スクリーン４の上部側４ｂの凹状円弧の部分にも流着する。
【００３０】
一方、主スクリーン３や補助スクリーン４に流着した塵芥を掻き上げるレーキ５はレーキ循環式除塵機１を上下方向回りに循環移動する。即ち、図示しない駆動スプロケットに駆動により上下方向回りに循環移動する一対の主務チェーン１ｂによって、該一対の主務チェーン１ｂに両端が連結されたレーキ５は主務チェーン１ｂの連動と一体になって循環移動する。
【００３１】
一対の循環移動する主務チェーン１ｂによって循環移動するレーキ５は、主スクリーン３の後方を下方に移動して、下部反転部６つまり主スクリーン３の半円弧状の下端側３ａの終端と、その下方に設置された補助スクリーン４の上部側４ｂの凹状円弧の部分との隙間を通過しながら下向きの移動から上向きの移動に反転する。
【００３２】
主スクリーン３の半円弧状の下端側３ａの終端と補助スクリーン４の上部側４ｂの凹状円弧の部分との隙間を通過中に、レーキ５の前部櫛歯５ｂは櫛歯状の補助スクリーン４の隙間を通過しながらその基端側のレーキ平坦部５ｃが補助スクリーン４の上部側４ｂの凹状円弧の部分に流着した塵芥を掻き取る。
【００３３】
櫛歯状の補助スクリーン４の隙間を通過したレーキ５の前部櫛歯５ｂは補助スクリーン４の前面４ａに出る際に、前部櫛歯５ｂの先端のレーキ先端Ｌ形曲げ部５ｄが略水平方向になってレーキ平坦部５ｃより先に出てくる。補助スクリーン４の略垂直な前面４ａに対して略直角向きとなる略水平方向の向きレーキ先端Ｌ形曲げ部５ｄの尖っている先端が補助スクリーン４の前面４ａに流着した塵芥を刺しながら掻き取る。補助スクリーン４の前面４ａに出たレーキ５の前部櫛歯５ｂは、下向きの移動から上向きの移動に反転しながら、補助スクリーン４の前面４ａの直前方の水路底面２ａに堆積した掻き上げる。また、レーキ５は先端がＬ字形に折曲形成されているため、塵芥を捕捉し易くなり、しかもレーキ５の主スクリーン３の前面に沿って上向きに移動するとき、レーキ５の先端の折曲方向が上向きとなるため、一度捕捉された塵芥は脱落しにくい。
【００３４】
補助スクリーン４の前面４ａは前記レーキ５の下部反転部６の最下位置又はその近傍に位置するので、下部反転部６で反転するレーキ５の前部櫛歯５ｂが補助スクリーン４の前面４ａに出るとき、前部櫛歯５ｂの先端は補助スクリーン４の前面４ａの最下端近くを通過してその突出長さは大きくなり、補助スクリーン４の前面４ａの最下端近くまで流着した塵芥を掻き取ることができ、補助スクリーン４の前面４ａに流着した塵芥のレーキ５による掻き上げ処理能力を更に高めることができる。
【００３５】
また、下部反転部６で反転するレーキ５の前部櫛歯５ｂは補助スクリーン４の前面４ａに出るとき、前部櫛歯５ｂの先端が水路底面２ａに最も接近してその隙間は最小又は最小に近い状態となるので、水路底面２ａに堆積した塵芥を有効に掻き上げることができる。
【００３６】
そして、補助スクリーン４の前面４ａに流着した塵芥及び補助スクリーン４の前面４ａの直前方の水路底面２ａに堆積した塵芥を掻き上げたレーキ５は、下部反転部６つまり主スクリーン３の半円弧状の下端側３ａから上方側が下流側に少し傾いた主スクリーン３の前面に沿って上動する。
【００３７】
レーキ５は、主スクリーン３の前面に沿って上動しながら主スクリーン３の前面に流着した塵芥も掻き上げ、水路２の上方に設置された図示しない排塵コンベヤ内に、これらの掻き上げた塵芥を排出する。排出したレーキ５はレーキ循環式除塵機１の上部で反転して下向きの移動となり、主スクリーン３の後方を下向きに移動し、以下同様な作業を繰り返す。
【００３８】
なお、この発明は上記発明を実施するための最良の形態に限定されるものではなく、この発明の精神を逸脱しない範囲で種々の改変をなし得ることは勿論である。前述したように、主スクリーン３の下端側３ａの下流側に向かって下向きの弧状は、図１（Ａ）に示すように下半分半円形板３ｂから形成されているが、これ以外に、例えば図２に示すように下端側３ａを下向きに凸状に曲げた板片、例えば下向に半円弧状に曲げた板片３ｃから形成されていてもよく、又は図３に示すように円形板３ｄの下半分側から形成されていてもよく、或いは図４に示すように下半分半正多角形板片３ｅから形成されていてもよい。
【図面の簡単な説明】
【００３９】
【図１】（Ａ）はこの発明を実施するための最良の形態を示す補助スクリーン付きレーキ循環式除塵機の要部側面図である。  （Ｂ）はこの発明を実施するための最良の形態を示すレーキの部分平面図である。  （Ｃ）はこの発明を実施するための最良の形態を示すレーキの側面図である。
【図２】この発明を実施するための最良の形態を示す他の補助スクリーン付きレーキ循環式除塵機の要部側面図である。
【図３】この発明を実施するための最良の形態を示す他の補助スクリーン付きレーキ循環式除塵機の要部側面図である。
【図４】この発明を実施するための最良の形態を示す他の補助スクリーン付きレーキ循環式除塵機の要部側面図である。
【図５】従来の補助スクリーン付きレーキ循環式除塵機の要部側面図である。
【符号の説明】
【００４０】
１    レーキ循環式除塵機
１ａ  フレーム
１ｂ  主務チェーン
１ｃ  ガイド溝
１ｄ  主務チェーン下部反転部
１ｅ  スクリーン受杆
２    水路
２ａ  水路底面
３    主スクリーン
３ａ  下端側
３ｂ  下半分半円形板
３ｃ  板片
３ｄ  円形板
３ｅ  下半分半正多角形板片
４    補助スクリーン
４ａ  前面
４ｂ  上部側
４ｃ  後面
５    レーキ
５ａ  基部
５ｂ  前部櫛歯
５ｃ  レーキ平坦部
５ｄ  レーキ先端Ｌ形曲げ部
６    下部反転部
Ａ    レーキ先端の移動軌跡
【図１】
2005139631.tif 000003
【図２】
2005139631.tif 000004
【図３】
2005139631.tif 000005
【図４】
2005139631.tif 000006
【図５】
2005139631.tif 000007